(57)【要約】    【課題】この発明は、上腕の腕周りの長短に係らずカフに取り付けられる血圧計の表示面を容易に認識させるようにした、血圧計用カフを提供する。      【解決手段】装着帯５からなる血圧計用カフ５０において、血圧計２０を支承する支承部材６０を圧迫用流体袋４が収容される側とは反対の側の装着帯５の表面８に形成するようにした。    【選択図】  図１
2007020934.tif 000002
【特許請求の範囲】
【請求項１】
送気球を介し空気等の流体が供給される圧迫用流体袋を収容する内袋と表面に前記圧迫用流体袋に加わる圧力を表示する血圧計を支承する支承部材とを有する帯状の装着帯からなる血圧計用カフにおいて、
前記血圧計を支承する支承部材を、前記圧迫用流体袋が収容される側とは反対の側の前記装着帯の表面に形成するようにしたことを特徴とする血圧計用カフ。
【請求項２】
前記支承部材は、前記装着帯の表面に両端が縫い止めされた一本の帯体から構成されていることを特徴とする請求項１に記載の血圧計用カフ。
【請求項３】
前記帯体の中央部は鉤状とパイル状の表面を持つ二枚一組からなる着脱自在な貼着テープにより前記装着帯の表面に着脱自在に貼着されることを特徴とする請求項２に記載の血圧計用カフ。
【請求項４】
前記血圧計は、アネロイド型の血圧計であることを特徴とする請求項１に記載の血圧計用カフ。
【発明の詳細な説明】
【技術分野】
【０００１】
この発明は、身体の上腕に装着して血圧を測定する血圧計用カフに関し、特に血圧の測定結果を表示する血圧計をより認識し易い位置に取り付けることの出来血圧計用カフに関する。
【背景技術】
【０００２】
一般に、上腕の血圧を測定する血圧計測定装置は、図７で示すように、上腕に巻きつけて装着する血圧計用カフ１（以下単にカフと言う）から構成されている。
【０００３】
このカフ１は、送気球２から可撓性のチューブ３を介して空気等の流体が供給される圧迫用流体袋４（以下単に流体袋と言う）と、この流体袋４を上腕に装着するための帯状の装着帯５とから構成されている。またこの装着帯５の中心線６より図面右側にある装着帯５内には内袋７が形成され、その内袋７内には上述した平面矩形状の流体袋４が収納されている。
【０００４】
なお、上述した流体袋４は天然ゴムや軟質塩化ビニール等から構成され、装着帯５は綿、ポリエステルやナイロン等から構成されている。
【０００５】
また、このカフ１を構成する装着帯５のうち、流体袋４が収納された中心線６よりも右側の表面８には、鉤状とパイル状の表面を持つ二枚一組からなり、重ね合わせて装着帯５を上腕に巻きつけ固定するための着脱自在な貼着テープ９（マジックテープ登録商標）の一方９ａが貼着されている。またこの貼着テープ９の他方９ｂは、装着帯５のうち、中心線６よりも図面左側であって流体袋４が収納されていない側の裏面１０に貼着されている。
【０００６】
また、流体袋４の中心に位置する装着帯５の表面８には、装着帯５を上腕に装着した際に、流体袋４への加圧力が最も正確に動脈に対して加わる位置に矢印形状の動脈ラベル１１が形成されている。
【０００７】
一方、近年では、流体袋４へ加わる加圧力を正確に表示する血圧計として、従来の水銀血圧計に変え、軽量小型でしかも正確に動脈の脈波を検出する歯車の数が極めて少ない所謂ギャフリーのアネロイド型の血圧計２０が提供されている。
【０００８】
そして、この軽量小型の血圧計２０の表示値を血圧測定者が容易に確認できるよう、この血圧計２０の背面に形成されたフック（後述する）を吊り下げることの出来る帯状のループ部からなる第１の支承部材３０を、図面上で前記動脈ラベル１１の直上に形成するようにしている。
【０００９】
なお、図７で符号２１は流体袋４と血圧計２０とを連結する可撓性のチューブである。
【００１０】
そして、上述した血圧計では、図８の斜視図で示すように、血圧計２０のフック２１を第１の支承部材３０に吊り下げた後、着脱自在な貼着テープ９を介して前記動脈ラベル１１が上腕４０の動脈位置となるように装着帯５を装着し、その後、送気球２を操作して流体袋４内へ流体（空気）を圧送して動脈に対する加圧及び減圧操作を行い、その際に血圧計２０の表示面２０ａに表示される表示値を血圧測定者が確認することにより動脈からの脈波を検出し血圧を測定するようにしている。
【発明の開示】
【発明が解決しようとする課題】
【００１１】
ところで、上述した、図７で示す血圧計用カフ１の装着帯５の長さＳは、当該装着帯５が出来るだけ多くの人の上腕に装着出来るよう、その長さＳを上腕の腕周りの長さの平均値を基礎に決定しているから、測定対象の人の腕周りの長さが略平均値前後であれば、動脈の位置（動脈ラベル１１）と対応する位置の第１の支承部材３０に取り付けられた血圧計２０の表示面２０ａが測定者（図面の上方にいる測定者）に対して正面に対峙し、そのため表示値を確認することが容易であるが、例えば上腕の腕周りの長さが平均値よりも小さいと、図８で示すように、血圧計２０が横を向いた状態で取り付けられることとなり、その結果、表示面２０ａの表示値が正面の測定者から確認しずらくなる難点があった。さらに子供のように、その上腕４０の腕周りの長さが小さいと、図９で示すように血圧計２０が横を向いた状態で取り付けられるだけでなく、図７で示す装着帯５の中心線６よりも図面左側であって流体袋４が収納されていない側の表面８の一端８ａが図９で示すように血圧計２０表面を覆う事、即ち流体袋４が収納されていない側の装着帯５の表面８が血圧計２０をオーバーラップして、その表示面２０ａを全く確認することが出来なくなる難点もあった。
【００１２】
この発明は、上述した事情に鑑み、上腕の腕周りの長短に係らずカフに取り付けられる血圧計の表示面を容易に認識させるようにした、血圧計用カフを提供することを目的とする。
【課題を解決するための手段】
【００１３】
上述した課題を解決するため、この発明では、送気球を介して空気等の流体が供給される圧迫用流体袋を収容する内袋と表面に前記圧迫用流体袋に加わる圧力を表示する血圧計を支承する支承部材とを有する帯状の装着帯からなる血圧計用カフにおいて、前記血圧計を支承する支承部材を、前記圧迫用流体袋が収容される側とは反対の側の前記装着帯の表面に形成するようにしている。
【発明の効果】
【００１４】
上述した、本願発明に係る血圧計用カフによると、血圧計を支承する支承部材を圧迫用流体袋が収容される側とは反対の側の装着帯の表面に形成するようにしたから、上腕の腕周りの長さが平均値よりも小さい人の血圧を測定する場合に、圧迫用流体袋が収容される側とは反対の側の装着帯の表面がオーバーラップした場合でも、そのオーバーラップした装着帯の表面に血圧計を支承することができるから、常に血圧計の表示面を測定者側に向けて取り付けることが可能となリ、このため血圧計の表示面が測定者側に容易に認識され、簡単に血圧測定を行なうことが出来る。  
【発明を実施するための最良の形態】
【００１５】
以下、この発明に係る血圧計用カフの一実施例を詳述する。
【００１６】
図１はこの発明に係る血圧計用カフ５０の一実施例を示す平面図で、図７と同一部分を同一符号で示す。
【００１７】
この血圧計用カフ５０も従来と同様に、その中心線６より図面右側にある装着帯５内には内袋７が形成され、その内袋７内には平面矩形状の流体袋４が収納されている。
【００１８】
一方、この血圧計用カフ５０では、装着帯５の中心線６よりも図面左側であって流体袋４が収納されていない側の表面８に、軽量小型で動力伝達用の歯車の数が極めて少ない所謂ギャフリー構造を有するアネロイド型の血圧計２０の背面に形成されたフックを吊り下げることの出来る帯状の複数のループ部からなる第２の支承部材６０が形成されている。
【００１９】
次に、上述した本願発明に係る血圧計用カフ５０の作用を説明し、併せて構成をより詳細な説明する。
【００２０】
図１で示すように、血圧計用カフ５０の装着帯５の長さＳは、当該装着帯５が出来るだけ多くの人の上腕に装着出来るよう、その長さＳを上腕の腕周りの長さの平均値を基礎に決定しているから、測定対象の人の腕周りの長さが平均値前後であれば、動脈の位置と対応する位置に取り付けられた第１の支承部材３０に血圧計２０を取り付ければ、その表示面２０ａが測定者（図面の上方にいる測定者）に対して正面に対峙することとなり、このため測定者はその表示面２０ａの表示値を容易に認識して簡単に血圧測定を行なうことが出来ることとなる。
【００２１】
しかし、上腕４０の腕周りの長さが平均値よりも小さいと、前述した図８で示すように、アネロイド血圧計２０を第１の支承部材３０に取り付けると、当該血圧計２０の表示面２０ａが横を向いた状態で取り付けられることとなり、その結果、表示面２０ａの表示値が正面の測定者から確認しずらくなるが、この発明では、図１で示すように、装着帯５の中心線６よりも図面左側であって流体袋４が収納されていない側の表面８に血圧計２０の背面に形成されたフックを吊り下げることの出来る帯状の複数のループ部からなる第２の支承部材６０を形成しているので、図２で示すように、この支承部材６０にアネロイド血圧計２０を取り付けると、その表示面２０ａが測定者（図面の上方にいる測定者）に対して正面に対峙することとなり、このため測定者はその表示板２０ａの表示値を容易に認識して簡単に血圧測定を行なうことが出来ることとなる。
【００２２】
さらに、子供のように、その上腕４０の腕周りの長さが極端に小さいと、前述した図９のように血圧計２０が横を向いた状態で取り付けられるだけでなく、装着帯５の中心線６よりも図面左側であって流体袋４が収納されていない側の表面８の一端８ａがアネロイド血圧計２０表面を覆う事、即ち流体袋４が収納されていない側の装着帯５の表面８がアネロイド血圧計２０をオーバーラップして、その表示面２０ａを全く確認することが出来なくなるが、この場合であっても、図３に示すように支承部材６０に血圧計２０を取り付けると、その表示面２０ａが測定者（図面の上方にいる測定者）に対して正面に対峙することとなり、このため測定者はその表示板２０ａの表示値を容易に認識して簡単に血圧測定を行なうことが出来ることとなる。
【００２３】
なお、上述した第２の支承部材６０は、その要部拡大斜視図で示す図４のように、流体袋４が収納されていない側の装着帯５の表面８に両端が縫い止めされた一本の帯体６１により構成されており、その帯体６１の中央部６２は、鉤状とパイル状の表面を持つ二枚一組からなる着脱自在な貼着テープ６３（マジックテープ登録商標）により装着帯５の表面８に貼着され、これにより一本の帯体６１により位置の異なる２つのループ部７０，７１が構成されている。
【００２４】
そして、この第２の支承部材６０では、この２つのループ部７０，７１により図４に示すように、血圧計２０の背面に形成されたフック２１を一方のループ部７０に吊り下げた後、以下で示す簡単な操作により一本の帯体６１の範囲内で血圧計２０の取付け位置を簡単に変更させることが出来る。
【００２５】
即ち、位置の異なる２つのループ部７０，７１間で血圧計２０の支承位置を変更させる場合は、図５で示すように貼着テープ６３による装着帯５の表面８と帯体６１との間を離間させ、その後、矢印Ａで示すように血圧計２０のフック２１を帯体６１に沿って一方に移動させる。
【００２６】
そして、一方のループ部７０から他方のループ部７１に沿って血圧計２０のフック２１を移動させた後、再び図６に示すように貼着テープ６３により装着帯５の表面８と帯体６１との間を貼着させると、血圧計２０の取付け位置をループ部７０からループ部７１に簡単に移動して血圧計２０の配置位置を変更することが出来ることとなる。
【００２７】
なお、上記実施例では、第２の支承部材６０を一本の帯体６１から構成するようにしたが、第２の支承部材６０を装着帯５の巾方向に沿って配設した複数本の帯体６１から構成しても良く、その本数に限定されない。また帯体６１に形成したループ部の数も実施例の如く２つだけでなくそれ以上でも良く、その数に限定されない。
【００２８】
また上記実施例では、使用する血圧計として軽量小型で動力伝達用の歯車の数が極めて少ない所謂ギャフリー構造を有するアネロイド型の血圧計２０を例として詳述したが、使用する血圧計は上記実施例に限定されることなく、例えばデジタル表示方式の電子血圧計でも良い。
【００２９】
また、上記実施例では、動脈の位置を表示する動脈ラベル１１を形成したものについて述べたが、この発明は上記実施例に限定されることなく、この動脈ラベル１１を形成しないカフに適用しても良く、また、帯状のループ部からなる第１の支承部材３０がないカフに適用しても良い。
【産業上の利用可能性】
【００３０】
以上説明したように、この発明の血圧計用カフは、上腕の腕周りの長短に係らずカフに取り付けられる血圧計の表示面を容易に認識させるようにした血圧測定装置に適している。
【図面の簡単な説明】
【００３１】
【図１】図１はこの発明に係る血圧計用カフの平面図。
【図２】図２はこの発明に係る血圧計用カフの装着状態を示す概念斜視図。
【図３】図３はこの発明に係る血圧計用カフの装着状態を示す概念斜視図。
【図４】図４はこの発明に係る装着部材の作用を示す要部破断斜視図。
【図５】図５はこの発明に係る装着部材の作用を示す要部破断斜視図。
【図６】図６はこの発明に係る装着部材の作用を示す要部破断斜視図。
【図７】図７は従来の血圧計用カフの平面図。
【図８】図８従来の血圧計用カフの装着状態を示す概念斜視図。
【図９】図９従来の血圧計用カフの装着状態を示す概念斜視図。
【符号の説明】
【００３２】
２…送気球
４…圧迫用流体袋
５…装着帯
７…内袋
８…表面
２０…血圧計
６０…支承部材
５０…血圧計用カフ
６１…帯体
６３…貼着テープ
【図１】
2007020934.tif 000003
【図２】
2007020934.tif 000004
【図３】
2007020934.tif 000005
【図４】
2007020934.tif 000006
【図５】
2007020934.tif 000007
【図６】
2007020934.tif 000008
【図７】
2007020934.tif 000009
【図８】
2007020934.tif 000010
【図９】
2007020934.tif 000011